(57)【要約】【課題】折畳み機構に十分な強度と操作性を持たせた。【解決手段】前輪１２と後輪１４とを有するボード本体１１と、ボード本体１１前部の操作軸１６を折り曲げる折畳み機構３１と、操作軸１６に取り付けられた収納体と、を具備し、折畳み機構３１は、支軸３３を介して折り曲げ自在な基端軸部３２と可倒軸部３４とに外嵌される操作スリーブ３７と、当該操作スリーブ３７を下方に付勢するスリーブ付勢ばね４３と、を有し、操作スリーブ３７にバッグ２０を取り付け、バッグ２０を持ち上げて操作スリーブ３７を可倒軸部３４側に引き上げ、ボード本体１１を折り曲げたボード折畳み姿勢で固定する折り曲げロック機構３９と、操作スリーブ３７を引き下げて可倒軸部３４と基端軸部３２に外嵌させたボード展開姿勢で、操作スリーブ３７の浮き上がりを防止するスリーブロック機構３８を設けた。【選択図】図３
2014018593.tif 000002
【特許請求の範囲】
【請求項１】
前輪および後輪を有するボード本体と、当該ボード本体の前部に立設された操作軸と、操作軸の下端側に介在されて当該操作軸をボード本体側に折り曲げ可能な折畳み機構と、操作軸に取り付けられた収納体と、を具備したバッグ付きキックスケータであって、
前記折畳み機構は、操作軸に、車輪支持体に連結された基端軸部と、当該基端軸部に操作軸の軸心に直交する支軸を介して折り曲げ自在に連結された可倒軸部と、当該可倒軸部および前記基端軸部にスライド自在に外嵌される操作スリーブと、当該操作スリーブを下方に付勢する付勢部材と、を有し、
前記操作スリーブに収納体を取り付け、
収納体を介して前記操作スリーブを前記可倒軸部側に引き上げ、ボード本体側を操作軸側に折り曲げたボード折畳み姿勢とした時に、前記付勢部材の作用により前記操作スリーブを前記基端軸部に係合させてボード折畳み姿勢で固定する折り曲げロック機構を設け、
前記操作スリーブが可倒軸部および基端軸部に外嵌されたボード展開姿勢で、前記操作スリーブの浮き上がりを防止するスリーブロック機構を設けた
ことを特徴とするバッグ付きキックスケータ。
【請求項２】
折り曲げロック機構は、操作スリーブの下端部に形成されたロック用係合部と、基端軸部に形成されて前記ロック用係合部が係合可能なロック用凹部とを具備し、付勢部材の付勢力により前記ロック用係合部をロック用凹部に嵌合させる
ことを特徴とする請求項１記載のバッグ付きキックスケータ。
【請求項３】
スリーブロック機構は、収納体に連結されるとともに可倒軸部にスライド自在に外嵌するロック用筒部を収縮して、可倒軸部に操作スリーブを固定可能な収納体固定具を具備した
ことを特徴とする請求項１記載のバッグ付きキックスケータ。
【請求項４】
前輪および後輪を有するボード本体と、当該ボード本体の前部に立設された操作軸と、操作軸の下端側に介在されて当該操作軸をボード本体側に折り曲げ可能な折畳み機構と、操作軸に取り付けられた収納体と、を具備したバッグ付きキックスケータであって、
収納体の底部に、キャスターを取り付け、
前記支軸から前輪の着地点までの前輪旋回半径に対して、前記支軸から前記キャスターの着地点までのキャスター旋回半径を短く設定し、折畳み機構によりボード本体が操作軸側に折り曲げられたボード折畳み姿勢で、前輪と前記キャスターがそれぞれ水平な路面に接地されて、収納体およびボード本体が移動自在に自立され、折畳み機構によりボード本体を展開して前輪および後輪が前記路面に着地されたボード展開姿勢で、前記キャスターが水平な路面から浮き上がるように構成された
ことを特徴とするバッグ付きキックスケータ。
【発明の詳細な説明】
【技術分野】
【０００１】
本発明は、バッグ付きキックスケータに関する。
【背景技術】
【０００２】
たとえば三輪スケータに、買い物籠やバッグを取り付けたものが特許文献１および２に提案されている。また近年、Ｓ社製の市販のバッグにキックスケータを取り付けたもの（以下、市販スケータという）が販売されている。
【先行技術文献】
【特許文献】
【０００３】
【特許文献１】特開平１０−１３８９８０
【特許文献２】特開２００５−９６５００
【発明の概要】
【発明が解決しようとする課題】
【０００４】
しかしながら、特許文献１および２は、スケータのボード本体と、操作軸が一定位置に固定されており、階段などの可搬性や収納性に欠けるものである。また市販スケータは、バッグに操作軸が取り付けられ、この操作軸の下端部にヒンジを介してボード本体を起立、倒伏可能に取り付けられている。そして、ボード本体を起立させてバッグに沿わせるボード折り畳み姿勢で、ボード本体の前輪をキャスターとして、可搬性を向上させている。また、ボード本体を倒伏させて前輪と後輪とを着地させたボード展開姿勢で、バッグ付きキックスケータとして機能するように構成されている。なお、ボード本体には、前部に左右一対の前輪が回転自在に支持され、後部に１個の後輪が回転自在に支持されている。
【０００５】
しかし、この市販スケータは、キャスター付きバッグの延長上にあり、バッグに簡易なスケータを付属させたものに過ぎず、スケータとして強度不足のため、通常のキックスケータとして使用すると、破損する恐れがあった。特に、キックスケータとして使用した時に負荷が大きいボード本体と操作軸の折り畳み部が脆弱であるという問題があった。また、この折り畳み部を強固な構造にすると、バッグが障害となって、ボード本体の折り畳み操作や展開操作が難しくなるといった問題がある。
【０００６】
本発明は上記問題点を解決して、収納体を取り付けた操作軸と、車輪を有するボード本体とを折り畳み可能な折畳み機構に、十分な強度を持たせることができるとともに、折り畳み操作や展開操作を容易に行うことができ、本格的なキックスケータとしても使用可能なバッグ付きキックスケータを提供することを目的とする。
【課題を解決するための手段】
【０００７】
請求項１記載の発明は、  前輪および後輪を有するボード本体と、当該ボード本体の前部に立設された操作軸と、操作軸の下端側に介在されて当該操作軸をボード本体側に折り曲げ可能な折畳み機構と、操作軸に取り付けられた収納体と、を具備したバッグ付きキックスケータであって、
前記折畳み機構は、操作軸に、車輪支持体に連結された基端軸部と、当該基端軸部に操作軸の軸心に直交する支軸を介して折り曲げ自在に連結された可倒軸部と、当該可倒軸部および前記基端軸部にスライド自在に外嵌される操作スリーブと、当該操作スリーブを下方に付勢する付勢部材と、を有し、
前記操作スリーブに収納体を取り付け、
収納体を介して前記操作スリーブを前記可倒軸部側に引き上げ、ボード本体側を操作軸側に折り曲げたボード折畳み姿勢とした時に、前記付勢部材の作用により前記操作スリーブを前記基端軸部に係合させてボード折畳み姿勢で固定する折り曲げロック機構を設け、
前記操作スリーブが可倒軸部および基端軸部に外嵌されたボード展開姿勢で、前記操作スリーブの浮き上がりを防止するスリーブロック機構を設けたものである。
【０００８】
請求項２記載の発明は、請求項１記載構成において、
折り曲げロック機構は、操作スリーブの下端部に形成されたロック用係合部と、基端軸部に形成されて前記ロック用係合部が係合可能なロック用凹部とを具備し、付勢部材の付勢力により前記ロック用係合部をロック用凹部に嵌合させるものである。
【０００９】
請求項３記載の発明は、請求項１または２記載構成において、
スリーブロック機構は、収納体に連結されるとともに可倒軸部にスライド自在に外嵌するロック用筒部を収縮して、可倒軸部に操作スリーブを固定可能な収納体固定具を具備したものである。
【００１０】
請求項４記載の発明は、
前輪および後輪を有するボード本体と、当該ボード本体の前部に立設された操作軸と、操作軸の下端側に介在されて当該操作軸をボード本体側に折り曲げ可能な折畳み機構と、操作軸に取り付けられた収納体と、を具備したバッグ付きキックスケータであって、
収納体の底部に、キャスターを取り付け、
前記支軸から前輪の着地点までの前輪旋回半径に対して、前記支軸から前記キャスターの着地点までのキャスター旋回半径を短く設定し、折畳み機構によりボード本体が操作軸側に折り曲げられたボード折畳み姿勢で、前輪と前記キャスターがそれぞれ水平な路面に接地されて、収納体およびボード本体が移動自在に自立され、折畳み機構によりボード本体を展開して前輪および後輪が前記路面に着地されたボード展開姿勢で、前記キャスターが水平な路面から浮き上がるように構成されたものである。
【発明の効果】
【００１１】
請求項１記載の発明によれば、支軸を介して折り曲げ自在な基端軸部と可倒軸部とに、スライド自在な操作スリーブを外嵌させることにより、ボード本体を着地させたボード展開姿勢で、操作軸を直立状態で固定するので、折畳み機構を強固な構造にすることができ、本格的なキックスケータとしての使用が可能となる。また収納体を上下に押し引きすることにより、操作スリーブをスライドさせて、ボード本体の展開操作と折畳み操作を容易に行うことができる。
【００１２】
請求項４記載の発明によれば、折畳み可能なバッグ付きキックスケータのバッグの底部に、キャスターを取り付けて、ボード折畳み姿勢で、キャスターと前輪とで自立可能としたので、直立状態でキャスターと前輪を転動させてボード折畳み姿勢のバッグ付きキックスケータを、傾斜させることなく容易に移動させることができる。また前輪旋回半径に比較して、キャスター旋回半径を短くすることにより、ボード展開姿勢で路面から浮き上がらせることができ、キックスケータの走行動作に支障をきたすことがない。
【図面の簡単な説明】
【００１３】
【図１】本発明に係るバッグ付きキックスケータの実施例を示すボード展開姿勢の側面図である。
【図２】ボード折畳み姿勢の側面図である。
【図３】操作軸部分の分解斜視図である。
【図４】図３に示す部分拡大斜視図である。
【図５】（ａ）および（ｂ）は前輪支持機構を示し、（ａ）は概略平面図、（ｂ）は側面視の断面図である。
【発明を実施するための形態】
【００１４】
［実施例］
以下、本発明に係るバッグ付きキックスケータの実施例を図１〜図５に基づいて説明する。
【００１５】
図１および図２に示すように、このバッグ付きキックスケータは、ボード本体１１の前部に、前輪支持体１５を有する前輪支持機構１３を介して首振り自在に支持された左右一対の前輪１２と、ボード本体１１の後部に回転自在に支持されて直進方向に固定された後輪１４とを具備し、前輪支持体１５から操作軸１６が立設されている。さらに、操作軸１６の基端側に、ボード本体１１を折り畳んで操作軸１６にボード本体１１を沿わせる図２のボード折畳み姿勢と、ボード本体を下方に展開して前輪１２と後輪１４とを路面に接地させ走行可能な図１のボード展開姿勢との間で、ボード本体１１を起立・倒伏可能な折畳み機構３１が設けられている。そして、この操作軸１６にバッグ（収納体）２０が取り付けられている。また後輪１４に、前部から後部上方を覆うカバー兼用で円弧状のブレーキ板１７を具備し、ブレーキ板１７を踏圧して後輪１４に押し付け、この摩擦力によりボード本体１１を制動可能なブレーキ機構が装備されている。
【００１６】
操作軸１６は、下部の固定軸部１６Ａと、この固定軸部１６Ａの上部で伸縮固定具１８を介して伸縮自在に内嵌された伸縮軸１６Ｂからなり、伸縮軸１６Ｂの上端部にＴバー状の操作ハンドル１６Ｃが取り付けられている。そして固定軸部１６Ａの下部に折畳み機構３１が設けられている。
【００１７】
前輪支持機構１３は、直進安定性を確保するとともに、旋回時に前輪１２の路面に対するグリップ力を確保するもので、路面を蹴って走行させる時に、操作軸１６を左右に揺動させて前方への推進力を得ることもできる。
【００１８】
すなわち、図５に示すように、前輪支持機構１３は、ボード本体１１の前部に取り付けられた前輪支持体１５に、左右両側で前方下方に傾斜される一対のアーム部２２が突出されており、このアーム部２２の先端に、上位前方に傾斜する前傾軸２３を介して揺動アクスル２４が左右方向に揺動自在に支持されている。そして左右の揺動アクスル２４の後部に、揺動アクスル２４の外面に突設された支持軸２５を介して、前輪１２が回転自在にそれぞれ支持されている。また、左右の揺動アクスル２４の後端部間に、前傾軸２３間距離より少し長いタイロッド２６が連結され、揺動アクスル２４前方ほど狭幅となる平面視ハの字形の姿勢に保持されることにより、前輪１２に正のトーインθが付与されている。さらに、揺動アクスル２４の後部と前輪支持体１５のセンター部材１５ａとの間に、復元用コイルばね２７がそれぞれ連結されて、前輪１２が直進姿勢となるように付勢されている。
【００１９】
したがって、前輪支持機構１３では、前傾軸２３を介して揺動アクスル２４が揺動自在に支持されるとともに、左右の揺動アクスル２４に復元用コイルばね２７が連結されることにより、直進安定性を向上させることができる。さらに操作軸１６を左右（幅）方向に揺動して操舵した時に、ボード本体１１が傾斜しても、揺動アクスル２４および復元用コイルばね２７の作用で、前輪１２が路面に着地されて、路面に対する前輪１２のグリップ力が発揮され、安定した旋回走行が可能となる。さらに操作軸１６を左右（幅）方向に揺動させる時に、復元用コイルばね２７による前輪１２の復元動作に起因して、前傾軸２３を介して傾斜する揺動アクスル２４付き前輪１２が斜め後方下向きに地面を押す力が発生する。この力の反作用として、揺動アクスル２４付き前輪１２を斜め前方上向きに押す力が地面から前輪支持体１５に作用され、これによりこのキックスケータを前方に推進する力を発生させることができる。
【００２０】
［折畳み機構］
折畳み機構３１を図３，図４を参照して説明する。
操作軸１６の固定軸部１６Ａは、前輪支持体１５に立設された基端軸部３２と、この基端軸部３２に操作軸１６の軸心Ｏに直交する左右方向の支軸３３を介して折り曲げ自在に連結された可倒軸部３４と、この可倒軸部３４の上端部に連結具３５を介して連結された軸筒部３６とで構成されている。そして折畳み機構３１は、基端軸部３２および可倒軸部３４と、基端軸部３２と可倒軸部３４にわたってスライド自在に外嵌される操作スリーブ３７と、可倒軸部３４に内装されて操作スリーブ３７を下方に付勢するスリーブ付勢ばね（付勢部材）４３と、操作スリーブ３７を下降限まで下降させた時に操作スリーブ３７の浮き上がりを防止するスリーブロック機構３８と、操作スリーブ３７を可倒軸部３４側に引き上げて可倒軸部３４を後方に折り曲げたボード折畳み姿勢で、可倒軸部３４を折り曲げ状態でロックする折り曲げロック機構３９とを具備している。バッグ（収納体）２０は、操作スリーブ３７に取付具４０を介して取り付けられている。
【００２１】
すなわち、基端軸部３２と可倒軸部３４の折り曲げ連結部分は、基端軸部３２の上端部に突設された支持ブラケットに、可倒軸部３４の下端部に突設された左右一対の受けブラケットが外嵌され、支持ブラケットと受けブラケットにそれぞれ形成された軸穴に支軸３３が嵌合されて、折れ曲がり自在に連結されている。また基端軸部３２の支持ブラケット上辺前部に、可倒軸部３４を前方へ倒れ止めする係止面部３２ａが形成され、さらに上辺後部に、折れ曲がる時に操作スリーブ３７の下降を規制する湾曲状のガイド受け部３２ｂが形成されている。
【００２２】
可倒軸部３４の上端面から受けブラケット３４ａの上方近傍まで収容穴４１が軸心Ｏに沿って形成され、可倒軸部３４で支軸３３に直交する前後外周面に、収容穴４１を貫通するスライド穴４２が操作軸１６の軸心Ｏに沿って形成されている。この収容穴４１には、スリーブ付勢ばね（付勢部材）４３が収容されており、また左右のスライド穴４２に、スリーブ付勢ばね４３により下方に付勢されるとともに、操作スリーブ３７を回り止めする連結ピン（連結部材）４４がスライド自在に配置されている。そして、連結ピン４４の両端が操作スリーブ３７に形成されたピン穴３７ａに嵌合固定されている。また収容穴４１の上端部に形成されたねじ穴に、スリーブ付勢ばね４３を加圧して抜け止めするボルト部材４５が装着されている。上記構成により、可倒軸部３４に内装されたスリーブ付勢ばね４３により、可倒軸部３４と基端軸部３２に外嵌された操作スリーブ３７が下方に付勢される。
【００２３】
したがって、スリーブ付勢ばね４３により操作スリーブ３７が下方に付勢され、支軸３３の連結部を含み可倒軸部３４から基端軸部３２にわたる下限位置で操作軸１６を直線状に保持して、操作軸１６が直立しボード本体１１を展開したボード展開姿勢とすることができる。また、バッグ２０の把手２０ａを持って引き上げることにより、スリーブ付勢ばね４３に抗して、操作スリーブ３７を可倒軸部３４側上方に引き上げ、支軸３３を中心に操作軸１６を、後方のボード本体１１に倒伏させて折り畳むことができる。
【００２４】
また前記折り曲げロック機構３９は、図４に示すように、スリーブ付勢ばね４３により下方（基端側）に付勢される操作スリーブ３７で、折り曲げ側（背面側）の下端部に形成されたロック用係合部５１と、基端軸部３２の下端部で折り曲げ側（背面側）に形成されてロック用係合部５１が係合可能なロック用凹部５２とで構成されている。
【００２５】
バッグ２０は、略矩形状の筐体で、背面に、操作軸１６に取り付けられるとともに固定軸部１６Ａを収納する凹溝部５３が形成されている。この凹溝部５３の底部に、取付具４０が固定されている。さらに軸筒部３６に遊嵌する貫通穴を有する単数または複数のガイドブラケット５４Ｕ，５４Ｄが、凹溝部５３の底部に取り付けられている。もちろん、凹溝部５３がないフラットな背面を有する筐体状のバッグ２０であってもよい。
【００２６】
前記スリーブロック機構３８は、この上側のガイドブラケット５４Ｕから上方部に、可倒軸部３４の軸筒部３６に遊嵌するロック用筒部５５が取り付けられ、バッグ２０の上面より上位に位置するロック用筒部５５の上端部で、複数のすり割が形成された部分に、伸縮固定具１８と同一構造のロックバンド（収納体固定具）５６が拡縮可能に取り付けられて構成されている。したがって、ロックバンド５６を締め付けてロック用筒部５５を縮径し、上側のガイドブラケット５４Ｕと軸筒部３６を固定することにより、バッグ２０と操作スリーブ３７を可倒軸部３４に固定することができる。
【００２７】
また、ボード展開姿勢から、ロックバンド５６を開放してスリーブロック機構３８を解除し、把手２０ａを介してバッグ２０を引き上げることで、下降限位置の操作スリーブ３７を基端軸部３２から可倒軸部３４側に引き上げ、操作軸１６とバッグ２０とをボード本体１１側に倒伏させることにより、折畳みロック機構３９を自動的に作動させて操作軸１６とボード本体１１とをボード折畳み姿勢で固定する。さらに操作軸１６を、前輪１２を支点として、バッグ２０およびボード本体１１と共に引き起こすことで、前輪１２とキャスター５７とを路面に接地させて自立させることができる。次いで、ロックバンド５６を収縮させて操作軸１６とバッグ２０とを固定しておく。
【００２８】
さらに、ボード折畳み姿勢から、ロックバンド５６を開放してスリーブロック機構３８を解除し、把手２０ａを介してバッグ２０を一旦引き上げて、操作スリーブ３７を引き上げることにより、折畳みロック機構３９を解除する。さらに、ボード本体１１を、支軸３３を中心に倒伏させて、前輪１２と後輪１４とを路面に着地させたボード展開姿勢とするとともに、バッグ２０を介して操作スリーブ３７を押し下げて可倒軸部３４から基端軸部３２に嵌合させることにより、操作軸１６を直立姿勢に保持する。さらにロックバンド５６を締め付けて、スリーブロック機構３８により折畳み機構３１を固定する。
【００２９】
ところで、従来の市販スケータでは、バッグの底部には、着地用突起のみで、キャスターを取り付けていない。したがって、バッグおよびボード本体を移動させる場合は、必ずバッグをボード本体側に傾けてバッグの重量を前輪に支持させつつ移動することになる。このような状態では、バッグに重量物を収納した時には、移動に多大な労力を要することになる。
【００３０】
この実施例では、これを解決する目的で、バッグ２０の底部に左右一対の首振り自在なキャスター５７が所定間隔をあけて取り付けている。そして、バッグ２０を取り付ける高さ位置を調整している。すなわち図１に示すように、支持軸２５の回転中心からキャスター５７の車輪が路面に着地するまでのキャスター旋回半径Ｌｃ、支持軸２５の回転中心から前輪１２が路面に着地するまでの前輪旋回半径Ｌｆとすると、Ｌｃ＞Ｌｆとして、図１に示すボード展開姿勢で、キャスター５７の車輪が水平な路面から所定の浮上距離ｄ以上浮き上がり、また支持軸２５を中心として展開角αだけ回動した図２に示すボード折畳み姿勢で、キャスター５７と前輪１２とが水平な路面にそれぞれ接地され、操作軸１６、バッグ２０およびボード本体１１が略鉛直姿勢で自立するように構成されている。なお、浮上距離ｄは、路面上の突起物に接触しない範囲で設定される。
【００３１】
これにより、キャスター５７と前輪１２とでバッグ２０およびボード本体１１が略鉛直な自立姿勢で容易かつ軽い労力で移動させることができ、バッグ２０に重量物が収容されていても、容易に移動させることができて、バッグ付きキックスケータの可搬性が格段に向上される。また、操作ハンドル１６Ｃを持ってボード本体１１側に倒し、後方に移動することもできる。さらに、移動方向は、左右一対の前輪１２が直進方向に保持されているため、前後方向のみであるが、前輪１２が左右に首振り可能であるため、前後の斜め方向に押出して旋回させることが可能となる。
【００３２】
なお、これらキャスター５７と前輪１２には、ストッパを付属していないが、バッグ付きキックスケータを停車した路面に傾斜がある場合、前後方向が傾斜方向に直交する方向となるようにバッグ付きキックスケータを停止すればよい。もちろん、キャスター５７にストッパ付のものを使用することもできる。
【００３３】
上記実施例によれば、支軸３３を介して折り曲げ自在な基端軸部３２と可倒軸部３４とに、スライド自在な操作スリーブ３７を外嵌させることにより、操作軸１６を直立させてボード本体１１を着地させたボード展開姿勢として固定するので、折畳み機構３１を強固な構造にすることができ、本格的なキックスケータとしての使用が可能となる。またバッグ２０を上下に押し引きすることにより操作スリーブ３７をスライドさせて、ボード本体１１の展開操作と折畳み操作を容易に行うことができる。さらに、スリーブロック機構３８により、ロックバンド５６によるスリーブ３７のロックを容易かつ確実に行うことができ、走行時の安全性を確保することができる。さらにボード折畳み姿勢とした時に、折り曲げロック機構３９の作用により、折り曲げるだけで、折り曲げ姿勢に自動的にロックすることができ、さらに、ロックバンド５６の操作を行ってスリーブロック機構３８を作用させることで、折り曲げロック機構３９が解除されることがない。
【００３４】
また、折畳み可能なバッグ付きキックスケータのバッグ２０の底部に、キャスター５７を取り付けて、ボード折畳み姿勢で、キャスター５７と前輪１２とで自立可能としたので、バッグ付きキックスケータを傾斜させることなく、キャスター５７と前輪１２を転動させて直立状態で容易に移動させることができる。さらに前輪旋回半径Ｌｆに比較して、キャスター旋回半径Ｌｃを短く設定することにより、ボード展開姿勢で路面からキャスター５７を浮き上がらせることができ、キックスケータとしての走行動作に支障をきたすことがない。
【符号の説明】
【００３５】
１１    ボード本体
１２    前輪
１３    前輪支持機構
１４    後輪
１５    前輪支持体
１６    操作軸
１６Ａ  固定軸部
２０    バッグ（収納体）
２０ａ  把手
２３    前傾軸
２４    揺動アクスル
２６    タイロッド
２７    復元用コイルばね
３１    折畳み機構
３２    基端軸部
３３    支軸
３４    可倒軸部
３４ａ  係止面部
３５    連結具
３６    軸筒部
３７    操作スリーブ
３８    スリーブロック機構
３９    折り曲げロック機構
４０    取付具
４３    スリーブ付勢ばね（付勢部材）
５１    ロック用係合部
５２    ロック用凹部
５３    凹溝部
５５    ロック用筒部
５６    ロック用バンド（収納体固定具）
５７    キャスター 
【図１】
2014018593.tif 000003
【図２】
2014018593.tif 000004
【図３】
2014018593.tif 000005
【図４】
2014018593.tif 000006
【図５】
2014018593.tif 000007